(57)【要約】【課題】システム全体のスループットを向上させるようにした制御装置、無線通信システム、及びキャリアセンス閾値設定方法を提供すること。【解決手段】制御装置において、第１の端末装置において第１の基地局装置から受信した第１の信号に対する第１の受信電力値と該第１の基地局装置と隣接する第２の基地局装置から受信した第２の信号に対する第２の受信電力値を、前記第１の端末装置から前記第１又は第２の基地局装置を介して受信する受信部と、前記受信した第１及び第２の受信電力値に基づいて、前記第１の基地局装置配下の前記第１の端末装置と前記第２の基地局装置の組ごとにキャリアセンス閾値を算出するキャリアセンス閾値算出部と、前記算出されたキャリアセンス閾値を前記第１の基地局装置へ送信する送信部を備える。【選択図】図７
2018022976.tif 000002
【特許請求の範囲】
【請求項１】
第１の端末装置において第１の基地局装置から受信した第１の信号に対する第１の受信電力値と該第１の基地局装置と隣接する第２の基地局装置から受信した第２の信号に対する第２の受信電力値を、前記第１の端末装置から前記第１又は第２の基地局装置を介して受信する受信部と、
前記受信した第１及び第２の受信電力値に基づいて、前記第１の基地局装置配下の前記第１の端末装置と前記第２の基地局装置の組ごとにキャリアセンス閾値を算出するキャリアセンス閾値算出部と、
前記算出されたキャリアセンス閾値を前記第１の基地局装置へ送信する送信部と
を備えることを特徴とする制御装置。
【請求項２】
前記キャリアセンス閾値算出部は、前記第２の基地局装置配下の第２の端末装置に対して前記第１の基地局装置と前記第２の基地局装置が同時に通信可能なとき、前記キャリアセンス閾値を算出することを特徴とする請求項１記載の制御装置。
【請求項３】
前記キャリアセンス閾値算出部は、前記第１の端末装置に対して前記第１の基地局装置と前記第２の基地局装置が同時に通信可能なとき、前記第１の端末装置と前記第２の基地局装置の組に対する前記キャリアセンス閾値を、前記第１の基地局装置が前記第２の基地局装置から受信した第３の信号に対する第３の受信電力値よりも高い値となるように当該キャリアセンス閾値を算出することを特徴とする請求項２記載の制御装置。
【請求項４】
前記キャリアセンス閾値算出部は、前記第１の端末装置に対して前記第１の基地局装置と前記第２の基地局装置が同時に通信可能ではないとき、前記第１の端末装置と前記第２の基地局装置の組に対する前記キャリアセンス閾値を、前記第１の基地局装置が前記第２の基地局装置から受信した第３の信号に対する第３の受信電力値よりも低い値となるように当該キャリアセンス閾値を算出することを特徴とする請求項２記載の制御装置。
【請求項５】
前記キャリアセンス閾値算出部は、前記第２の端末装置に対して前記第１の基地局装置と前記第２の基地局装置が同時に通信可能ではないとき、前記第１の基地局装置配下の全前記第１の端末装置の前記第２の基地局装置に対する前記キャリアセンス閾値を、前記第１の基地局装置が前記第２の基地局装置から受信した第３の信号に対する第３の受信電力値よりも低い値となるように当該キャリアセンス閾値を算出することを特徴とする請求項２記載の制御装置。
【請求項６】
前記キャリアセンス閾値算出部は、前記第１の基地局装置に隣接する第３の基地局装置が前記第１の基地局装置から受信した第４の信号に対する第４の受信電力値が、前記第３の受信電力値よりも高いとき、前記第２の基地局装置配下の全前記第２の端末装置と前記第３の基地局装置の組に対する前記キャリアセンス閾値を、前記第３の受信電力値よりも低い値となるように当該キャリアセンス閾値を算出することを特徴とする請求項５記載の制御装置。
【請求項７】
前記キャリアセンス閾値算出部は、第２の端末装置において、前記第２の基地局装置から受信した第５の信号に対する第５の受信電力値の前記第１の基地局装置から受信した前記第１の信号に対する第６の受信電力値の比率が所要値以上のとき、前記キャリアセンス閾値を算出することを特徴とする請求項２記載の制御装置。
【請求項８】
第１及び第２の基地局装置と、
前記第１の基地局装置配下の第１の端末装置と、
制御装置を備えた無線通信システムにおいて、
前記制御装置は、
前記第１の端末装置において、前記第１の基地局装置から受信した第１の信号に対する第１の受信電力値と前記第１の基地局装置と隣接する前記第２の基地局装置から受信した第２の信号に対する第２の受信電力値を、前記第１の端末装置から前記第１又は第２の基地局装置を介して受信する受信部と、
前記受信した第１及び第２の受信電力値に基づいて、前記第１の基地局装置配下の前記第１の端末装置と前記第２の基地局装置の組ごとにキャリアセンス閾値を算出するキャリアセンス閾値算出部と、
前記算出されたキャリアセンス閾値を前記第１の基地局装置へ送信する送信部と
を備えることを特徴とする無線通信システム。
【請求項９】
受信部とキャリアセンス閾値算出部、及び送信部を備えた制御装置におけるキャリアセンス閾値設定方法であって、
前記受信部により、第１の端末装置において第１の基地局装置から受信した第１の信号に対する第１の受信電力値と該第１の基地局装置と隣接する第２の基地局装置から受信した第２の信号に対する第２の受信電力値を、前記第１の端末装置から前記第１又は第２の基地局装置を介して受信し、
前記キャリアセンス閾値算出部により、前記受信した第１及び第２の受信電力値に基づいて、前記第１の基地局装置配下の前記第１の端末装置と前記第２の基地局装置の組ごとにキャリアセンス閾値を算出し、
前記送信部により、前記算出されたキャリアセンス閾値を前記第１の基地局装置へ送信する
ことを特徴とするキャリアセンス閾値設定方法。
【発明の詳細な説明】
【技術分野】
【０００１】
本発明は、制御装置、無線通信システム、及びキャリアセンス閾値設定方法に関する。
【背景技術】
【０００２】
現在、端末装置（又はユーザ）は、ＬＴＥ（Long Term Evolution）などの無線アクセス方式だけではなく、無線ＬＡＮ（Wireless Local Area Network）などの無線アクセス方式も利用可能となっている。無線ＬＡＮは、例えば、ＩＥＥＥ（Institute of Electrical and Electronic Engineers）によりその仕様が検討された無線アクセス方式である。無線ＬＡＮの例としては、ＩＥＥＥ８０２．１１ａｃ（又はＶＨＴ（Very High Throughput））やＩＥＥＥ８０２．１１ｎなどがある。
【０００３】
無線ＬＡＮシステムにおいてはＣＳＭＡ／ＣＡ（Carrier Sense Multiple Access/Collision Detection：搬送波感知多重アクセス／衝突検出）通信方式が用いられる場合がある。ＣＳＭＡ／ＣＡ通信方式は、例えば、キャリアセンス方式と衝突回避アルゴリズムを組み合わせた通信方式である。ＣＳＭＡ／ＣＡ通信方式は、例えば、ＡＰ（Access Point：アクセスポイント）において、あるチャネル（又は周波数）の受信電力値がキャリアセンス閾値以上のときは送信を待機し、そうでないときは送信を開始する。
【０００４】
例えば、駅や地下街など、高密度でＡＰが配置された環境においては、そうでない環境と比較して、ＡＰは他のＡＰから送信された信号を多く検知する。この場合、ＡＰが検知した信号の受信電力値がキャリアセンス閾値以上のとき、ＡＰは送信を待機する。従って、このようにＡＰが配置された環境では、そうでない環境と比較して、ＡＰにおいてキャリアセンス閾値以上となる信号を受信する可能性が高くなり、そのため、当該ＡＰにおける信号の送信機会が減少し、スループットが低下する場合がある。このような現象のことを、例えば、さらし端末問題と称する場合がある。
【０００５】
無線ＬＡＮに関する技術として、例えば、以下がある。すなわち、２つの基地局の組でいずれの基地局もキャリアセンスレベル値を相手局から受けるＲＳＳＩ値より高い値に設定可能な場合のみ２つの基地局のキャリアセンスレベル値を更新して同時通信を行う無線通信システムがある。この場合、無線通信システムでは、２つの基地局のうち片方の基地局のみしかキャリアセンスレベル値を上げられないときは該レベル値を更新することなく据え置きにしている。
【０００６】
この技術によれば、無線ＬＡＮが密集している環境においてキャリアセンス制御によるスループットを改善することができる、とされる。
【先行技術文献】
【特許文献】
【０００７】
【特許文献１】特開２０１５−１６７２８６号公報
【発明の概要】
【発明が解決しようとする課題】
【０００８】
しかしながら、２つの基地局のキャリアセンスレベル値を更新する技術では、例えば、２つの基地局のうち片方の基地局のみしかキャリアセンスレベル値を上げられないときは該レベル値を更新することなく据え置きにしている。従って、当該技術では、当該片方の基地局配下の複数の端末のうち１つでも所要通信品質を満たさない端末があると、他の端末が所要通信品質を満たす場合でも、当該片方の基地局配下の端末は同時通信を行わないことになる。この場合、同時通信の機会が減少し、システム全体のスループットの低下につながる。
【０００９】
そこで、一開示は、システム全体のスループットを向上させるようにした制御装置、無線通信システム、及びキャリアセンス閾値設定方法を提供することにある。
【課題を解決するための手段】
【００１０】
一開示は、制御装置において、第１の端末装置において第１の基地局装置から受信した第１の信号に対する第１の受信電力値と該第１の基地局装置と隣接する第２の基地局装置から受信した第２の信号に対する第２の受信電力値を、前記第１の端末装置から前記第１又は第２の基地局装置を介して受信する受信部と、前記受信した第１及び第２の受信電力値に基づいて、前記第１の基地局装置配下の前記第１の端末装置と前記第２の基地局装置の組ごとにキャリアセンス閾値を算出するキャリアセンス閾値算出部と、前記算出されたキャリアセンス閾値を前記第１の基地局装置へ送信する送信部を備える。
【発明の効果】
【００１１】
一開示によれば、システム全体のスループットを向上させるようにした制御装置、無線通信システム、及びキャリアセンス閾値設定方法を提供することができる。
【図面の簡単な説明】
【００１２】
【図１】図１は無線通信システムの構成例を表す図である。
【図２】図２は集中制御局装置の構成例を表す図である。
【図３】図３はＡＰの構成例を表す図である。
【図４】図４は端末装置の構成例を表す図である。
【図５】図５（Ａ）は受信電力値とキャリアセンス閾値の関係例、図５（Ｂ）は隣接ＡＰ間受信電力値の関係例をそれぞれ表す図である。
【図６】図６は無線通信システムの構成例を表す図である。
【図７】図７は動作例を表すフローチャートである。
【図８】図８（Ａ）と図８（Ｂ）はキャリアセンス閾値の例を表す図である。
【図９】図９は動作例を表すフローチャートである。
【図１０】図１０は動作例を表すフローチャートである。
【図１１】図１１（Ａ）と図１１（Ｂ）はキャリアセンス閾値の例を表す図である。
【図１２】図１２は動作例を表すフローチャートである。
【図１３】図１３はＳとＩの関係例を表す図である。
【図１４】図１４は無線通信システムの構成例を表す図である。
【図１５】図１５（Ａ）は集中制御局装置、図１５（Ｂ）はＡＰのハードウェア構成例をそれぞれ表す図である。
【図１６】図１６は端末装置のハードウェア構成例を表す図である。
【発明を実施するための形態】
【００１３】
以下、本発明を実施するための形態について説明する。なお、以下の実施例は開示の技術を限定するものではない。そして、各実施の形態は、処理内容を矛盾させない範囲で適宜組み合わせることが可能である。
【００１４】
また、本明細書に記載された用語や技術的内容は、ＩＥＥＥなど通信に関する規格として仕様書に記載された用語や技術的内容が適宜用いられてもよい。
【００１５】
［第１の実施の形態］
＜無線ネットワークシステムの構成例＞
図１は第１の実施の形態における無線通信システム１０の構成例を表す図である。無線通信システム１０は、集中制御局装置（以下、「集中制御局」と称する場合がある。）１００、アクセスポイント（以下、「ＡＰ」と称する場合がある。）２００−１，２００−２と、端末装置（以下、「端末」と称する場合がある。）３００−１〜３００−３を備える。
【００１６】
本第１の実施の形態においては、各ＡＰ２００−１，２００−２は、端末３００−１〜３００−３と無線ＬＡＮ方式による無線通信を行う。無線ＬＡＮ方式としては、例えば、ＩＥＥＥ８０２．１１ａｃやＩＥＥＥ８０２．１１ｎなど、ＩＥＥＥ８０２．１１シリーズの方式であってもよい。この場合、各ＡＰ２００−１，２００−２や端末３００−１〜３００−３は、キャリアセンス方式を用いて無線通信を行う。キャリアセンス方式としては、例えば、ＣＳＭＡ／ＣＤ方式やＣＳＭＡ／ＣＡ（Collision Avoidance：衝突回避）方式などであってもよい。本第１の実施の形態では、ＣＳＭＡ／ＣＤ方式で説明する。
【００１７】
図５（Ａ）はキャリアセンス閾値と受信電力値の関係例を表している。キャリアセンス方式では、例えば、各ＡＰ２００−１，２００−２は、使用周波数についての受信電力値がキャリアセンス閾値以上のとき（図５（Ａ）の“Ｂ”）、送信を待機する。一方、各ＡＰ２００−１，２００−２は、当該受信電力値がキャリアセンス閾値より低いとき（図５（Ａ）の“Ａ”）、送信を開始する。本第１の実施の形態では、各ＡＰ２００−１，２００−２はこのようなキャリアセンス方式を利用して、ＤＬ（Downlink：下り方向）方向において端末３００−１〜３００−３と無線通信を行う。なお、例えば、ＤＬ方向はＡＰ２００から端末３００への通信方向であり、ＵＬ方向は端末３００からＡＰ２００への通信方向のことである。
【００１８】
図１に戻り、集中制御局１００は、各ＡＰ２００−１，２００−２が配下の端末３００−１〜３００−３との無線通信に際して取得した種々の情報を、各ＡＰ２００−１，２００−２から収集する。種々の情報には、例えば、端末３００−１において、ＡＰ２００−１から受信した信号の受信電力値と、ＡＰ２００−２から受信した信号の受信電力値が含まれる。このような受信電力値は、端末３００−１において測定され、ＡＰ２００−１又はＡＰ２００−２を介して集中制御局１００へ送信される。集中制御局１００は、各ＡＰ２００−１，２００−２から収集したこれらの情報に基づいて、キャリアセンス閾値を算出し、算出したキャリアセンス閾値を各ＡＰ２００−１，２００−２へ送信する。集中制御局１００がどのようにキャリアセンス閾値を算出するかについては動作例で説明する。
【００１９】
ＡＰ２００−１，２００−２は、例えば、端末３００−１〜３００−３と無線ＬＡＮを用いて無線通信可能な基地局装置（又は無線通信装置）である。各ＡＰ２００−１，２００−２は、各自局のサービス提供可能範囲（又は通信可能範囲）において、通話サービスやＷｅｂ閲覧サービスなど種々のサービスを提供する。
【００２０】
なお、本第１の実施の形態において２つのＡＰ２００−１，２００−２は互いに隣接している。隣接（又は隣接ＡＰ）とは、例えば、２つのＡＰ２００−１，２００−２の通信可能範囲が重複し、重複した範囲に２つのＡＰ２００−１，２００−２が配置される関係である。２つのＡＰ２００−１，２００−２は互いに隣接しているため、ＡＰ２００−１はＡＰ２００−２から送信された信号が受信可能で、ＡＰ２００−２もＡＰ２００−１から送信された信号が受信可能となっている。
【００２１】
端末３００−１〜３００−３は、例えば、各ＡＰ２００−１，２００−２と無線通信可能な無線通信装置である。端末３００−１〜３００−３としては、例えば、フィーチャーフォン、スマートフォン、タブレット端末、パーソナルコンピュータ、ゲーム装置などである。
【００２２】
図１の例では、端末３００−１，３００−３がＡＰ２００−１と無線通信を行い、端末３００−２はＡＰ２００−２と無線通信を行っている例を表している。このように各ＡＰ２００−１，２００−３と無線通信を行っている端末３００−１〜３００−３を、例えば、「配下の端末」又は「配下端末」と称する場合がある。図１の例では、ＡＰ２００−１の配下端末は端末３００−１，３００−３、ＡＰ２００−２の配下端末は端末３００−２となっている。
【００２３】
図１の例では、ＡＰ２００−１，２００−２は２台の例を表しているが、３台以上あってもよい。また、各ＡＰ２００−１，２００−２配下の端末３００−１〜３００−３の個数は、１台でもよいし、複数台であってもよい。
【００２４】
以下では、特に断らない限り、ＡＰ２００−１，２００−２をＡＰ２００、端末３００−１〜３００−３を端末３００と称する場合がある。
【００２５】
次に、集中制御局１００、ＡＰ２００、及び端末３００の各構成例について説明する。
【００２６】
＜集中制御局の構成例＞
図２は集中制御局１００の構成例を表す図である。集中制御局１００は、受信部１１０、隣接ＡＰ識別情報生成部１２０、キャリアセンス閾値算出部１３０、及び送信部１４０を備える。
【００２７】
受信部１１０は、各ＡＰ２００から送信された情報を受信する。送信された情報には、ＡＰ２００の配下端末３００においてＡＰ２００から送信された信号を受信したときの受信電力値、ＡＰ２００−１の配下端末３００において隣接ＡＰ２００−２から送信された信号を受信したときの受信電力値、及び隣接ＡＰ間電力などがある。隣接ＡＰ間受信電力値は、例えば、ＡＰ２００−１において隣接ＡＰ２００−２から送信された信号を受信したときの受信電力値やＡＰ２００−２において隣接ＡＰ２００−１から送信された信号の受信電力値が含まれる。受信部１１０は、受信したこれらの受信電力値をキャリアセンス閾値算出部１３０へ出力し、隣接ＡＰ間電力を隣接ＡＰ識別情報生成部１２０へ出力する。
【００２８】
隣接ＡＰ識別情報生成部１２０は、隣接ＡＰ間電力に含まれる隣接ＡＰの識別情報を抽出し、抽出した隣接ＡＰの識別情報をキャリアセンス閾値算出部１３０と送信部１４０へ出力する。
【００２９】
キャリアセンス閾値算出部１３０は、各ＡＰ２００から収集した受信電力値など基づいて、ＡＰ２００−１に対するキャリアセンス閾値として、ＡＰ２００−１の配下端末３００と隣接ＡＰ２００−２の組ごとにキャリアセンス閾値を算出する。図８（Ａ）はＡＰ２００−１に対するキャリアセンス閾値、図８（Ｂ）はＡＰ２００−２に対するキャリアセンス閾値の例を表している。図８（Ａ）や図８（Ｂ）に示すようにキャリアセンス閾値は、例えば、配下端末３００ごとに、かつ、隣接ＡＰ２００ごとに異なる閾値となっている。算出の詳細については動作例で説明する。図２に戻り、キャリアセンス閾値算出部１３０は、算出したキャリアセンス閾値を送信部１４０へ出力する。
【００３０】
送信部１４０は、キャリアセンス閾値と隣接ＡＰ識別情報を各ＡＰ２００へ送信する。
【００３１】
＜ＡＰの構成例＞
図３はＡＰ２００の構成例を表す図である。ＡＰ２００は、制御局側受信部２１０、キャリアセンス閾値保存部２２０、無線受信部２３０、動的キャリアセンス動作部２４０、無線送信部２５０、及び制御局側送信部２６０を備える。
【００３２】
制御局側受信部２１０は、集中制御局１００から送信されたキャリアセンス閾値などを受信する。制御局側受信部２１０は受信したキャリアセンス閾値などをキャリアセンス閾値保存部２２０へ保存する。
【００３３】
キャリアセンス閾値保存部２２０は、例えば、メモリなどであって、配下端末３００と隣接ＡＰ２００の組ごとにキャリアセンス閾値を保存する。上述した図８（Ａ）と図８（Ｂ）はキャリアセンス閾値保存部２２０に保存されたキャリアセンス閾値の例を表している。
【００３４】
図３に戻り、無線受信部２３０は、配下端末３００や隣接ＡＰ２００から送信された無線信号を受信し、無線信号からパケットデータを抽出する。無線受信部２３０は、パケットデータから、端末３００において測定された受信電力値や隣接ＡＰ２００で測定された隣接ＡＰ間電力やパケット情報などを抽出する。無線受信部２３０は、受信電力値などを制御局側送信部２６０へ出力し、パケット情報などを動的キャリアセンス動作部２４０へ出力する。
【００３５】
また、無線受信部２３０は、隣接ＡＰ２００から送信された信号の受信電力値を測定し、これを隣接ＡＰ間電力として制御局側送信部２６０へ送信したり、隣接ＡＰ２００へ送信したりしてもよい。この場合、無線受信部２３０は、測定した隣接ＡＰ間電力について、どのＡＰ間で測定した隣接ＡＰ間電力かを示す隣接ＡＰ識別情報を生成して、隣接ＡＰ間電力とともに、集中制御局１００や隣接ＡＰへ送信してもよい。なお、無線受信部２３０は、隣接ＡＰ２００−２において測定された隣接ＡＰ間電力を受信したときは、当該隣接ＡＰ間電力とともに受信した隣接ＡＰ識別情報を集中制御局１００へ送信すればよい。
【００３６】
動的キャリアセンス動作部２４０は、キャリアセンス閾値保存部２２０に記憶されたキャリアセンス閾値を読み出し、無線受信部２３０で受信した当該パケットデータの受信電力値を取得する。そして、動的キャリアセンス動作部２４０は、キャリアセンス閾値と受信電力値に基づいて、自ＡＰ２００が送信を行うか否の送信可否を決定する。動的キャリアセンス動作部２４０は、送信可否（又はキャリアセンス結果）を無線送信部２５０へ出力する。動的キャリアセンス動作部２４０の動作については動作例で説明する。
【００３７】
無線送信部２５０は、動的キャリアセンス動作部２４０の送信可否に従って、パケットデータを無線信号に変換し、当該無線信号を配下の端末３００へ送信する。
【００３８】
制御局側送信部２６０は、無線受信部２３０から受け取った受信電力値などを集中制御局１００へ送信する。
【００３９】
＜端末の構成例＞
図４は端末３００の構成例を表す図である。端末３００は、無線受信部３１０、情報取得部３２０、及び無線送信部３３０を備える。
【００４０】
無線受信部３１０は、ＡＰ２００から送信された無線信号を受信し、受信した無線信号からパケットデータなどを抽出する。無線受信部３１０は抽出したパケットデータを情報取得部３２０へ出力する。また、無線受信部３１０は、受信した無線信号に基づいて受信電力値を測定する。この場合、無線受信部３１０は、配下となって無線通信を行っているＡＰ２００−１から送信された無線信号の受信電力値を測定したり、ＡＰ２００−１と隣接するＡＰ２００−２から送信された無線信号の受信電力値を測定したりすることが可能である。無線受信部３１０は、取得した受信電力値を情報取得部３２０へ出力する。
【００４１】
情報取得部３２０は、例えば、無線受信部３１０において測定された受信電力値を受け取り、無線受信部３１０から受け取ったパケット情報などに基づいて、どのＡＰ２００に対する受信電力値かを識別して、各受信電力値にＡＰ識別情報を付加する。情報取得部３２０は、受信電力値とＡＰ識別情報を無線送信部３３０へ出力する。
【００４２】
無線送信部３３０は、情報取得部３２０から受け取った受信電力値やＡＰ識別情報に対して、データパケットを生成し、データパケットを無線信号に変換し、変換した無線信号をＡＰ２００−１へ送信する。
【００４３】
＜動作例＞
次に動作例について説明する。図６は動作例において用いられる無線通信システム１０の構成例を表している。図６に示す無線通信システム１０の例では、さらに、ＡＰ２００−３を備え、端末３００−４と無線通信を行っている例を表している。
【００４４】
図７はキャリアセンス閾値を算出する動作例を表すフローチャートである。図７に示すキャリア動作例は、例えば、集中制御局１００のキャリアセンス閾値算出部１３０において行われる。図７のフローチャートは図６を適宜利用して説明する。
【００４５】
図７に示すフローチャートは、隣接ＡＰの同時通信性能評価（Ｓ１２〜Ｓ１４，Ｓ２２〜Ｓ２３）と、配下端末の同時通信性能評価（Ｓ１５〜Ｓ１９）の２つのブロックに分けられる。
【００４６】
隣接ＡＰの同時通信性能評価においては、集中制御局１００は、例えば、隣接ＡＰ２００−２の配下端末３００に対して当該ＡＰ２００−１が干渉にならずに隣接ＡＰ２００−２と当該ＡＰ２００−１が同時通信可能か否かを評価している。一方、配下端末の同時通信性能評価においては、集中制御局１００は、例えば、同時通信可能と評価したとき、当該ＡＰ２００−１の各配下端末３００について、隣接ＡＰ２００−２毎にキャリアセンス閾値を設定する。以下、各処理について説明する。
【００４７】
集中制御局１００は処理を開始すると（Ｓ１０）、各ＡＰ（ｉ）に対して以下の処理を行う（Ｓ１１）。例えば、キャリアセンス閾値算出部１３０は、ｉ＝１を設定し、ＡＰ２００−１（＝ＡＰ（１））に対して以下の処理を行う。
【００４８】
次に、集中制御局１００は、隣接ＡＰの同時通信性能評価を行う（Ｓ１２〜Ｓ１４，Ｓ２２〜Ｓ２３）。なお、図６の例では、ＡＰ２００−２とＡＰ２００−１は隣接し、ＡＰ２００−３とＡＰ２００−３は隣接しているが、ＡＰ２００−１とＡＰ２００−３は隣接していない。集中制御局１００は、隣接ＡＰ２００−２に対して同時通信性能評価を行う。
【００４９】
すなわち、集中制御局１００は、ｊ＝２を設定し、隣接ＡＰ２００−２（＝ＡＰ（２））に対して以下の処理を行う。
【００５０】
次に、集中制御局１００は、ＲＳＳＩ（Received Signal Strength Indicator）ｉ，ｊが最小ＮＧ電力値よりも大きいか否かを判別する（Ｓ１３）。ＲＳＳＩｉ，ｊは、例えば、隣接ＡＰ間受信電力値を表しており、ＡＰ（ｉ）においてＡＰ（ｊ）から受ける受信電力値を表す。例えば、図６の例では、キャリアセンス閾値算出部１３０は、ＡＰ２００−１において隣接ＡＰ２００−２から受ける受信電力値と最小ＮＧ電力値を比較することで処理を行う。この段階では、最小ＮＧ電力値は算出されていないため、キャリアセンス閾値算出部１３０はＳ１４へ処理を移行させる。
【００５１】
Ｓ１４において集中制御局１００は、隣接ＡＰ（ｊ）の配下端末において同時通信によりＳＩＮＲ（Signal to Interference plus Noise Ratio）が所要値より低い端末３００がいるか否かを判別する。例えば、キャリアセンス閾値算出部１３０は、隣接ＡＰ２００−２の配下端末３００−２について、ＡＰ２００−２から受信した信号に対する受信電力値をＳ、ＡＰ２００−１から受信した信号に対する受信電力値をＩ、端末３００−２の雑音電力をＮとして、ＳＩＮＲを算出する。この場合、ＳＩＮＲは、例えば、端末３００−２においてＡＰ２００−２に対する受信電力値（Ｓ）のＡＰ２００−１に対する受信電力値（Ｉ）の比率を表している。キャリアセンス閾値算出部１３０は、各ＡＰ２００−１，２００−２から収集した受信電力値に基づいてＳＩＮＲが算出可能である。
【００５２】
本処理（Ｓ１４）においては、隣接ＡＰ２００−２配下の全端末３００−２のＳＩＮＲが所要値以上のとき（又は所要値を満たすとき）（Ｓ１４でｎｏ）、当該ＡＰ２００−１は隣接ＡＰ２００−２と同時通信可能と判別して、配下端末の同時性能評価へ処理を移行させるようにしている。
【００５３】
一方、隣接ＡＰ２００−２の全配下端末３００−２のうち、一つでも、そのＳＩＮＲが所要値を満たさないときは（Ｓ１４でｙｅｓ）、隣接ＡＰ２００−２とＡＰ２００−１は同時通信不可と判別して、Ｓ２２〜Ｓ２３の処理を行うようにしている。
【００５４】
図６の例では、隣接ＡＰ２００−２配下の端末３００は、端末３００−２だけであり、当該端末３００−２のＳＩＮＲは所要値以上と仮定する。従って、キャリアセンス閾値算出部１３０は、隣接ＡＰ２００−２配下の全端末３００−２はＡＰ２００−１と同時通信可能と判別して（Ｓ１４でｎｏ）、配下端末の同時通信性能評価へと処理を移行させる。
【００５５】
図７に戻り、次に、集中制御局１００は、ＡＰ（１）配下の各端末３００に対して以下の処理を行う（Ｓ１５）。例えば、キャリアセンス閾値算出部１３０は、ＡＰ２００−１配下の全端末３００−１，３００−３に対して処理を行うべく、ｋ＝１を設定し、端末３００−１から順番に以下の処理を行う。
【００５６】
次に、集中制御局１００は、同時通信時の端末３００−１（ＳＴＡ１）のＳＩＮＲが所要値より大きいか否か（又は所要値を満たすか否か）を判別する（Ｓ１６）。例えば、キャリアセンス閾値算出部１３０では、ＡＰ２００−１の受信電力値をＳ、隣接ＡＰ２００−２の受信電力値をＩとして、ＳＩＮＲを算出する。この場合、ＳＩＮＲは、例えば、端末３００−１においてＡＰ２００−１に対する受信電力値（Ｓ）のＡＰ２００−２に対する受信電力値（Ｉ）の比率を表している。例えば、キャリアセンス閾値算出部１３０は、ＡＰ２００−１配下の端末３００−１が隣接ＡＰ２００−２と同時通信が可能か否かを判別している。なお、Ｓ１６における「所要値」は、Ｓ１４の「所要値」と同じ値でもよいし異なる値でもよい。
【００５７】
そして、集中制御局１００は、端末３００−１のＳＩＮＲが所要値より大きいとき（又は所要値を満たすとき）（Ｓ１６でｙｅｓ）、端末３００−１の隣接ＡＰ（ｊ）に対するキャリアセンス閾値を、ＲＳＳＩｉ，ｊよりも大きい値に設定する（Ｓ１７）。
【００５８】
例えば、端末３００−１のＳＩＮＲは所要値よりも大きいと仮定する。すなわち、端末３００−１はＡＰ２００−１と隣接ＡＰ２００−２から同時に信号を受信しても、隣接ＡＰ２００−２からの信号は干渉とならず、ＡＰ２００−１からの信号を正常に受信できると仮定する。この場合、キャリアセンス閾値算出部１３０は、端末３００−１の隣接ＡＰ２００−２に対するキャリアセンス閾値を、ＲＳＳＩ１，２よりも高い値に設定する。この場合、図５（Ａ）の“Ａ”の場合と同様に、ＡＰ２００−１は隣接ＡＰ２００−２から信号を受信しても、受信電力値はキャリアセンス閾値よりも低く、配下の端末３００−１との通信が可能となる。
【００５９】
次に、集中制御局１００は、ＡＰ２００（ｉ）配下の全端末３００に対して上述した処理を繰り返す（Ｓ１５からＳ１９のループ）。
【００６０】
図６の例では、キャリアセンス閾値算出部１３０は、ＡＰ２００−１の配下端末３００−３に対して、ＳＩＮＲと所要値を比較する（Ｓ１６）。この場合、配下端末３００−３のＳＩＮＲ（ＳはＡＰ２００−１、Ｉは隣接ＡＰ２００−２）は所要値以下と仮定する。すなわち、端末３００−２はＡＰ２００−１と隣接ＡＰ２００−２から同時に信号を受信しても、隣接ＡＰ２００−２からの信号が干渉となって、ＡＰ２００−１からの信号を正常に受信できないと仮定する。この場合、キャリアセンス閾値算出部１３０は、端末３００−２の隣接ＡＰ２００−２に対するキャリアセンス閾値を、ＲＳＳＩ１，２よりも低い値に設定する。この場合、図５（Ａ）の“Ｂ”の場合と同様に、ＡＰ２００−１は隣接ＡＰ２００−２から信号を受信すると、キャリアセンス閾値は当該信号の受信電力値よりも低くなっている。従って、ＡＰ２００−１は隣接ＡＰ２００−２が通信中は通信することができず、同時通信が不可となる。
【００６１】
図８（Ａ）は、ＡＰ２００−１に対するキャリアセンス閾値の例を表している。図８（Ａ）の例では、配下端末３００−１，３００−３は２つの例を表しているが、３台の配下端末があれば、配下端末ごとにキャリアセンス閾値が設定される。また、隣接ＡＰ２００が複数あれば、配下端末３００は隣接ＡＰ２００ごとにキャリアセンス閾値が設定される。
【００６２】
図７に戻り、集中制御局１００は、ＡＰ（１）配下の全端末３００に対して配下端末の同時通信性能評価を行うと、ＡＰ（１）に対する隣接ＡＰループが完了したか否かを判定する（Ｓ２０）。図６の例では、ＡＰ２００−１に対する隣接ＡＰはＡＰ２００−２だけであるため、ＡＰ２００−１に対する全隣接ＡＰ２００−３に対する処理は完了する。
【００６３】
集中制御局１００は、ＡＰ（１）に対する全隣接ＡＰに対して処理を完了すると、全ＡＰ２００に対して処理を行ったか否かを確認する（Ｓ２１）。図６の例では、集中制御局１００は、ＡＰ２００−１に対する処理を完了し、次に、ＡＰ２００−２に対する処理を行う。
【００６４】
集中制御局１００は、全ＡＰ２００に対して処理を完了していないとき、“ｉ”をインクリメントさせるなどして、Ｓ１１へ処理を移行させ、上述した処理を繰り返す（Ｓ１１からＳ２１までのループ）。
【００６５】
図６の例では、集中制御局１００は、ｉ＝２を設定するなどして、ＡＰ２００−２に対して以下の処理を行う（Ｓ１１）。
【００６６】
次に、集中制御局１００は、ｊ＝１を設定するなどして、ＡＰ２００−２の隣接ＡＰ２００−１に対して、隣接ＡＰの同時通信性能評価を行う。集中制御局１００は、ＡＰ２００−２の隣接ＡＰ２００−１からの受信電力値ＳＳＩ２，１が最小ＮＧ電力値より大きいか否かを判別する（Ｓ１３）が、最小ＮＧ電力値は設定されていないため、Ｓ１４へ処理を移行させる。
【００６７】
Ｓ１４において、集中制御局１００は、隣接ＡＰ２００−１の配下端末３００−１，３００−３について、隣接ＡＰ２００−１とＡＰ２００−２と同時通信したときのＳＩＮＲが所要値より低い端末がいるか否かを判別する（Ｓ１４）。
【００６８】
上述した場合と同様に、端末３００−１のＳＩＮＲ（ＳはＡＰ２００−１に対する受信電力値、ＩはＡＰ２００−２に対する受信電力値）は所要値より高く、端末３００−３のＳＩＮＲは所要値よりも低いと仮定する。
【００６９】
この場合、集中制御局１００は、隣接ＡＰ２００−１配下の全端末３００−１，３００−３が所要値を満たしていないため（Ｓ１４でｙｅｓ）、最小ＮＧ電力値を更新（又は設定）する（Ｓ２２）。例えば、キャリアセンス閾値算出部１３０は隣接ＡＰ２００−１配下の端末３００−１のＳＩＮＲが所要値よりも低いことを検出し（Ｓ１４でｙｅｓ）、最小ＮＧ電力値として、ＡＰ２００−２におけるＡＰ２００−１に対する受信電力値ＲＳＳＩ２，１を設定する（Ｓ２２）。
【００７０】
次に、集中制御局１００は、ＡＰ２００−２配下の全端末３００−２の隣接ＡＰ２００−１に対するキャリアセンス閾値を、受信電力値ＲＳＳＩ２，１よりも低い値に設定する（Ｓ２３）。例えば、キャリアセンス閾値算出部１３０では、ＡＰ２００−１が通信を行っているとき、ＡＰ２００−２が端末３００−２と通信しないようにキャリアセンス閾値を設定する。図５（Ａ）の例では、ＡＰ２００−２における隣接ＡＰ２００−１からの受信電力値を“Ｂ”とすると、キャリアセンス閾値を“Ｂ”よりも低くすることで、ＡＰ２００−２に対してＡＰ２００−１が同時通信を行わないように設定することができる。隣接ＡＰ２００−１配下の端末３００−３は、同時通信を行ってもＡＰ２００−２からの信号が干渉となって、隣接ＡＰ２００−１からの信号を正常に受信できず、端末３００−３を同時通信から保護するため、ＡＰ２００−２と同時通信しないようにキャリアセンス閾値を設定している。
【００７１】
図８（Ｂ）はＡＰ２００−２に対するキャリアセンス閾値の例を表している。配下の端末３００−２（ＳＴＡ２）に対して、隣接ＡＰ２００−１（ＡＰ１）と同時通信が行われないようにキャリアセンス閾値が設定されている。
【００７２】
図７に戻り、集中制御局１００は、ＡＰ２００−２配下の端末３００−３の隣接ＡＰ２００−１に対するキャリアセンス閾値を設定すると（Ｓ２３）、次の隣接ＡＰ２００−３（ｊ＝３）に対して隣接ＡＰの同時通信性能評価を行う（Ｓ２０，Ｓ１２）。
【００７３】
この場合、集中制御局１００は、ＡＰ２００−２の隣接ＡＰ２００−３に対する受信電力値ＲＳＳＩ２，３が最小ＮＧ電力値（＝受信電力値ＲＳＳＩ２，１）より大きいか否かを判別する（Ｓ１３）。図６の例では、ＡＰ２００−２において、ＡＰ２００−３に対する受信電力値ＲＳＳＩ２，３の方が、ＡＰ２００−１に対する受信電力値ＲＳＳＩ２，１よりも高いと仮定している。
【００７４】
従って、集中制御局１００は、Ｓ１３で「ｙｅｓ」と判定して、ＡＰ２００−２配下の全端末３００−２の隣接ＡＰ２００−３に対するキャリアセンス閾値を、ＲＳＳＩ２，３よりも低い値に設定する（Ｓ２３）。すなわち、キャリアセンス閾値算出部１３０は、ＡＰ２００−３が通信を行っているとき、ＡＰ２００−２が端末３００−２と通信しないようにキャリアセンス閾値を設定する。
【００７５】
すなわち、集中制御局１００では、同時通信が不可となっている隣接ＡＰ２００−１を保護するため、同時通信が不可となっている隣接ＡＰ２００−１からの受信電力値ＲＳＳＩ２，１を最小ＮＧ電力値として設定している。そして、集中制御局１００では、ＡＰ２００−２について、最小ＮＧ電力値よりも高いＡＰ間受信電力値となっている隣接ＡＰ２００−３との同時通信を行わないようにして、同時通信が不可となっている隣接ＡＰ２００−１の端末３００−３を保護している。図８（Ｂ）はＡＰ２００−２配下の端末３００−２の隣接ＡＰ２００−３に対するキャリアセンス閾値も例も表している。
【００７６】
図７に戻り、集中制御局１００は、ＡＰ２００−２の全隣接ＡＰ２００−１，２００−３に対する処理を終了すると（Ｓ２０）、ＡＰ２００−３に対して上述した処理を繰り返す（Ｓ２１とＳ１１のループ）。ＡＰ２００−３に対する説明は省略する。
【００７７】
以上のようにして、集中制御局１００は、算出したキャリアセンス閾値を、各ＡＰ２００へ送信する。各ＡＰ２００は受信したキャリアセンス閾値を利用してキャリアセンスを行う。以下では、各ＡＰ２００における動作例について説明する。
【００７８】
＜ＡＰにおける動作例＞
図９はＡＰ２００における動作例を表すフローチャートである。図９に示す各処理は、例えば、ＡＰ２００の動的キャリアセンス動作部２４０において行われる。なお、ＡＰ２００は、集中制御局１００から受信したキャリアセンス閾値を、キャリアセンス閾値保存部２２０に記憶しているものとする。
【００７９】
ＡＰ２００は、処理を開始すると（Ｓ３０）、隣接ＡＰ又は配下端末３００から送信された信号を受信し、キャリアセンス期間中において、受信した信号からプリアンブル信号が検出可能か否かを判別する（Ｓ３１）。例えば、無線受信部２３０は、受信した無線信号からプリアンブル信号を検出できたか否かにより、本処理を判別する。
【００８０】
ＡＰ２００は、プリアンブルを検出したとき（Ｓ３１でｙｅｓ）、プリアンブル信号に含まれるＢＳＳ（Basic Service Set）カラーを抽出する。ＢＳＳカラーは、例えば、ＡＰ２００を識別する識別情報である。例えば、無線受信部２３０はＢＳＳカラーを抽出し、動的キャリアセンス動作部２４０に出力する。
【００８１】
次に、ＡＰ２００はＢＳＳカラーが自ＡＰ２００のＢＳＳカラーであるか否かを判別する（Ｓ３３）。
【００８２】
ＡＰ２００は、抽出したＢＳＳカラーが自局のＢＳＳカラーであるとき（Ｓ３３でｙｅｓ）、送信不可を決定する（Ｓ３７）。この場合、ＡＰ２００は、自ＡＰ２００局の無線信号を配下の端末３００から受信する場合であって、ＡＰ２００が受信を行っているときは送信を行うことはしないため、送信不可を決定している。例えば、動的キャリアセンス動作部２４０は、無線受信部２３０から受け取ったＢＳＳカラーが自ＡＰ２００のＢＳＳカラーであることを確認すると、送信不可を決定し、送信不可を無線送信部２５０へ通知する。無線送信部２５０では送信処理を行わないことになる。
【００８３】
一方、ＡＰ２００は、抽出したＢＳＳカラーが自局のＢＳＳカラーではないとき（Ｓ３３でｎｏ）、配下端末別の隣接ＡＰ別の閾値を、キャリアセンス閾値保存部２２０から読み出す（Ｓ３４）。この場合、例えば、ＡＰ２００−１が受信した無線信号は自ＡＰ２００−１宛の無線信号ではなく、隣接するＡＰ２００−２が送信したものとなっている。
【００８４】
例えば、動的キャリアセンス動作部２４０は以下のようにしてキャリアセンス閾値をキャリアセンス閾値保存部２２０から読み出す。すなわち、動的キャリアセンス動作部２４０は、配下端末３００−１又は配下端末３００−２宛のパケットデータをバッファなどに記憶している場合には、当該パケットデータをバッファから読み出す。そして、動的キャリアセンス動作部２４０は当該パケットデータの宛先を読み出す。また、動的キャリアセンス動作部２４０は、受信した信号のＢＳＳカラーがどの隣接ＡＰかを、バッファに記憶されたテーブルなどに基づいて判別する。動的キャリアセンス動作部２４０は、バッファに記憶されたパケットデータの宛先を「配下端末」、ＢＳＳカラーから判別した隣接ＡＰを「隣接ＡＰ」とし、「配下端末」と「隣接ＡＰ」に対応するキャリアセンス閾値を、キャリアセンス閾値保存部２２０から読み出す。
【００８５】
そして、ＡＰ２００は、読み出したキャリアセンス閾値を用いて、プリアンブルの受信電力値の方がキャリアセンス閾値より高いとき（Ｓ３５でｙｅｓ）、送信不可とし（Ｓ３７）、当該受信電力値がキャリアセンス閾値以下のとき（Ｓ３５でｎｏ）、送信可を決定する（Ｓ３６）。例えば、動的キャリアセンス動作部２４０は抽出したキャリアセンス閾値と、無線受信部２３０から受け取った受信電力値を比較することで送信可又は不信不可を決定し、決定した結果を無線送信部２５０へ出力する。無線送信部２５０は決定結果に従って、無線信号を送信したり送信しなかったりすることが可能となる。
【００８６】
一方、ＡＰ２００は、プリアンブルが検出できなかったとき（Ｓ３１でｎｏ）、無線ＬＡＮ信号以下の信号、例えば、Ｂｌｕｅｔｏｏｔｈ（登録商標）などの信号であると判別して、受信電力値とエネルギー検出閾値と比較する（Ｓ３８）。エネルギー検出閾値は、例えば、ＩＥＥＥ８０２．１１ａｃなどで規定されている閾値であり、他の無線システムの信号との衝突を回避するための閾値となっている。ＡＰ２００は、受信信号の受信電力値がエネルギー検出閾値より高いとき（Ｓ３８でｙｅｓ）、送信不可を決定し（Ｓ３７）、当該受信電力値がエネルギー検出閾値以下のとき（Ｓ３８でｎｏ）、送信可を決定する（Ｓ３６）。例えば、動的キャリアセンス動作部２４０がメモリに記憶されたエネルギー検出閾値を読み出して、無線受信部２３０から受け取った受信電力値と比較することで、送信可又は送信不可を決定する。
【００８７】
以上説明したように、本第１の実施の形態では、集中制御局１００は、ＡＰ２００に対するキャリアセンス閾値として、ＡＰ２００−１配下の端末３００とＡＰ２００に隣接する隣接ＡＰ２００−２の組ごとに設定している。すなわち、集中制御局１００は、同時通信によりＡＰ２００−１配下の端末３００に干渉を与える隣接ＡＰ２００−２の配下端末３００−２に対してＡＰ２００との同時通信が行われないようにキャリアセンス閾値を設定している（図７のＳ１４，Ｓ２３）。他方、集中制御局１００は、隣接ＡＰ２００−２と同時通信しても干渉とならないときは、ＡＰ２００−１配下の端末３００−１，３００−３に対して、隣接ＡＰとの組ごとにキャリアセンス閾値を設定している（図７のＳ１６〜Ｓ１８）。
【００８８】
従って、ＡＰ２００−１は、隣接ＡＰ２００−２と同時通信が行われないときでも、ＡＰ２００−１配下の端末３００−１に対して通信を行うことも可能となる（Ｓ１７）。よって、本無線通信システム１０では、ＡＰ２００−１と隣接ＡＰ２００−２で同時通信不可によって配下端末３００との通信を行わない場合と比較して、ＡＰ２００−１の送信機会が増加し、システム全体としてのスループットを向上させることが可能となる。
【００８９】
＜第２の実施の形態＞
次に第２の実施の形態について説明する。第１の実施の形態では、集中制御局１００は、ＡＰ２００−１の配下端末と隣接ＡＰ２００−２の組ごとに、ＡＰ２００−１に対するキャリアセンス閾値を設定する例について説明した。本第２の実施の形態では、集中制御局１００は、ＡＰ２００−１の配下端末３００−１，３００−３と隣接ＡＰ２００−２の配下端末３００−２の組ごとにキャリアセンス閾値を設定する例である。
【００９０】
図１０は本第２の実施の形態における動作例を表すフローチャートである。図１０に示すフローチャートは、例えば、集中制御局１００のキャリアセンス閾値算出部１３０において行われる。第１の実施の形態と同様に図６の例で説明する。
【００９１】
集中制御局１００は処理を開始すると（Ｓ４０）、ｉ＝１を設定し、ＡＰ（１）（＝ＡＰ２００−１）に対して以下の処理を行う（Ｓ４１）。
【００９２】
次に、集中制御局１００は、ｊ＝１を設定し、ＡＰ２００−１の隣接ＡＰ（１）（＝ＡＰ２００−２）に対して以下の処理を行う（Ｓ４２）。
【００９３】
次に、集中制御局１００は、隣接ＡＰ間受信電力値ＲＳＳＩ１，２が最小ＮＧ電力値より大きいか否かを判別する（Ｓ４３）。この段階では最小ＮＧ電力値が設定されていないため、処理はＳ４４へ移行する。
【００９４】
Ｓ４４において、集中制御局１００は、ｔ＝１を設定して、隣接ＡＰ２００−２配下の端末ＳＴＡ１（＝端末３００−２）に対して以下の処理を行う（Ｓ４４）。
【００９５】
次に、集中制御局１００は、ＡＰ２００−１と同時通信を行ったときの端末３００−２のＳＩＮＲが所要値より高いか否かを判別する（Ｓ４５）。例えば、キャリアセンス閾値算出部１３０は、端末３００−２において、隣接ＡＰ２００−２に対する受信電力値をＳ、ＡＰ２００−１に対する受信電力値をＩ、としてＳＩＮＲを算出する。この場合、端末３００−２のＳＩＮＲは所要値より高いと仮定する。すなわち、隣接ＡＰ２００−２配下の端末３００−２は、ＡＰ２００−１と同時通信しても、ＡＰ２００−１からの信号は干渉とはならずに、隣接ＡＰ２００−２と通信可能であると仮定する。
【００９６】
集中制御局１００は、ＡＰ２００−１と同時通信を行ったときの端末３００−２のＳＩＮＲが所要値よりも高いとき（Ｓ４５でｙｅｓ）、ｋ＝１を設定し、ＡＰ２００−１の配下端末ＳＴＡ１（＝端末３００−１）に対して以下の処理を行う（Ｓ４６）。
【００９７】
次に、集中制御局１００は、ＡＰ２００−１の配下端末３００−１が隣接ＡＰ２００−２と同時通信を行ったときのＳＩＮＲが所要値よりも高いか否かを判別する（Ｓ４７）。例えば、キャリアセンス閾値算出部１３０は、端末３００−１において、ＡＰ２００−１に対する受信電力値をＳ、隣接ＡＰ２００−２に対する受信電力値をＩとして、ＳＩＮＲを算出する。ここでは、端末３００−１のＳＩＮＲは所要値よりも高いと仮定する。
【００９８】
集中制御局１００は、端末３００−１のＳＩＮＲが所要値よりも高いとき（Ｓ４７でｙｅｓ）、端末３００−１の隣接ＡＰ２００−２配下の端末３００−２に対するキャリアセンス閾値を、隣接ＡＰ間受信電力値ＳＳＩ１，２より高い値に設定する（Ｓ４８）。このように、本第２の実施の形態では、集中制御局１００は、ＡＰ２００−１の配下端末３００−１と、隣接ＡＰ２００−２の配下端末３００−２の組ごとにキャリアセンス閾値を設定する。
【００９９】
次に、集中制御局１００は、“ｋ”をインクリメントして、ＡＰ２００−１配下の他の端末３００に対して、Ｓ４６〜Ｓ４８の処理を繰り返す。図６の例では、ＡＰ２００−１配下の他の端末３００は端末３００−３だけであり、端末３００−３に対してＳ４６〜Ｓ４８の処理を繰り返すことになる。この場合、端末３００−３のＳＩＮＲは所要値よりも低いと仮定する。
【０１００】
集中制御局１００は、端末３００−３のＳＩＮＲが所要値よりも低いとき（Ｓ４７でｎｏ）、端末３００−３の隣接ＡＰ２００−２の配下端末３００−２に対するキャリアセンス閾値を、隣接ＡＰ間受信電力値ＳＳＩ１，２より低い値に設定する（Ｓ５０）。この場合は、ＡＰ２００−１と配下端末３００−３は、隣接ＡＰ２００−２とその配下端末３００−２は、同時通信が行われない。端末３００−３のＳＩＮＲは所要値よりも低く、同時通信が行われても、端末３００−３は隣接ＡＰ２００−２からの信号が干渉となって、ＡＰ２００−１からの信号を正常に受信することが出来ない場合があるからである。
【０１０１】
集中制御局１００は、ＡＰ２００−１の全配下端末３００−１，３００−３に対して処理を完了すると（Ｓ４９）、“ｔ”をインクリメントするなどして、隣接ＡＰ２００−２の配下端末３００−２以外の他の配下端末に対して、Ｓ４４からＳ５０までの処理を繰り返す。図６の例では、隣接ＡＰ２００−２の配下端末は端末３００−２だけであるため、隣接ＡＰ配下端末のループ処理（Ｓ４４からＳ５１）は完了することになる。
【０１０２】
集中制御局１００は、隣接ＡＰ配下端末のループ処理が完了すると、隣接２００−２以外の他の隣接ＡＰに対して、Ｓ４２〜Ｓ５２，Ｓ５４〜Ｓ５６までの処理を繰り返す（Ｓ５２）。図６の例では、ＡＰ２００−１に対する隣接ＡＰは隣接ＡＰ２００−２だけであり、他の隣接ＡＰはないため、隣接ＡＰループは完了することになる。
【０１０３】
集中制御局１００は、ＡＰ２００−１の全隣接ＡＰに対する処理を完了すると（Ｓ５２）、“ｉ”をインクリメントするなどして、ＡＰ（２）（＝ＡＰ２００−２）に対してＳ４２〜Ｓ５６までの処理を繰り返す。
【０１０４】
ＡＰ２００−２に対する処理は以下のようになる。すなわち、集中制御局１００は、最小ＮＧ電力値が設定されていないため、ＡＰ２００−２の隣接ＡＰ２００−１の配下端末３００−１に対して、同時通信時のＳＩＮＲが所要値より高いか否かを判別する（Ｓ４５）。この場合、集中制御局１００は端末３００−１のＳＩＮＲは所要値よりも高く（Ｓ４５でｙｅｓ）、ＡＰ２００−２の配下端末３００−２のＳＩＮＲも所要値よりも高い（Ｓ４７でｙｅｓ）と仮定する。この場合、集中制御局１００は、端末３００−２の端末３００−１に対するキャリアセンス閾値を、隣接ＡＰ間受信電力値ＳＳＩ２，１より高い値に設定する（Ｓ４８）。すなわち、ＡＰ２００−２とその配下端末３００−３と、隣接ＡＰ２００−１とその配下端末３００−１は、同時通信を行っても、他のＡＰからの信号は干渉とはならず、接続ＡＰと通信が可能となる。
【０１０５】
一方、隣接ＡＰ２００−１の配下端末３００−３について、ＳＩＮＲが所要値よりも低いとき（Ｓ４５でｎｏ）、最小ＮＧ電力値を隣接ＡＰ間受信電力値ＳＳＩ２，１に設定する（Ｓ５４）。そして、集中制御局１００は、ＡＰ２００−２配下の全端末３００−２の隣接ＡＰ２００−１の配下端末３００−３に対するキャリアセンス閾値を、隣接ＡＰ間受信電力値ＳＳＩ２，１より低い値に設定する（Ｓ４７でｎｏ、Ｓ５０）。すなわち、ＡＰ２００−２とその配下の全端末３００−２と、隣接ＡＰ２００−１とその配下端末３００−３とは同時通信が行われないことになる。このような同時通信が行われた場合、端末３００−３は、ＡＰ２００−２からの信号が干渉となってＡＰ２００−１と通信ができなくなる場合があるからである。
【０１０６】
集中制御局１００は、ＡＰ２００−２の隣接ＡＰ２００−１の配下端末３００−１，３００−３に対する処理を完了し（Ｓ５１）、隣接ＡＰ２００−３の配下端末３００−４に対する処理を行う。
【０１０７】
この場合、集中制御局１００は、最小ＮＧ電力値が設定されており、隣接ＡＰ間受信電力値ＲＳＳＩ２，３は、最小ＮＧ電力値（＝ＲＳＳＩ２，１）よりも高いと仮定する。この場合、集中制御局１００は、Ｓ４３でｙｅｓを判定し、ＡＰ２００−２配下の全端末３００−２の、ＡＰ２００−３配下の全端末３００−４に対するキャリアセンス閾値を、ＲＳＳＩ２，３よりも低い値に設定する（Ｓ５６）。すなわち、集中制御局１００は、端末３００−２と端末３００−４についても、同時通信不可となるようにキャリアセンス閾値を設定している。この場合も、集中制御局１００では、ＡＰ２００−１とＡＰ２００−２が同時通信が不可となっているＡＰ２００−１の配下端末３００−３を保護している。
【０１０８】
集中制御局１００は、隣接ＡＰ２００−３の全配下端末３００−３に対する処理を完了し（Ｓ５１）、隣接ＡＰ２００−１，２００−３に対する処理も完了し（Ｓ５２）、“ｉ”をインクリメントして、ＡＰ２００−３に対する処理を行う。以降は、上述した処理の繰り返しになるため、説明を省略する。
【０１０９】
図１１（Ａ）はＡＰ２００−１、図１１（Ｂ）はＡＰ２００−２に対するキャリアセンス閾値の設定例をそれぞれ表している。これらの図に示すように、集中制御局１００は、ＡＰ２００−１の配下端末３００−１と隣接ＡＰ２００−２の配下端末３００−２の組ごとにキャリアセンス閾値を設定している。集中制御局１００は、設定したキャリアセンス閾値をＡＰ２００へ送信する。図１１（Ａ）と図１１（Ｂ）は各ＡＰ２００−１，２００−２のキャリアセンス閾値保存部２２０に記憶されたキャリアセンス閾値の例を表している。
【０１１０】
図１２は、キャリアセンス閾値を受信したＡＰ２００における動作例を表すフローチャートである。図１２では第１の実施の形態と同一の処理は同一の符号が付されている。
【０１１１】
この場合、キャリアセンス閾値は、ＡＰ２００−１の配下端末３００−１，３００−３と隣接ＡＰ２００−２の配下端末３００−２の組で設定されている。そのため、動的キャリアセンス動作部２４０は、例えば、以下のようにしてキャリアセンス閾値をキャリアセンス閾値保存部２２０から読み出す。
【０１１２】
すなわち、ＡＰ２００−２において、ＡＰ２００−１から送信された信号を受信すると、動的キャリアセンス動作部２４０は、自ＡＰ２００−２宛ではない他のＡＰ２００−１から送信された信号を受信する（Ｓ３３でｎｏ）。この場合、動的キャリアセンス動作部２４０は、受信した信号から抽出されたパケット情報を無線受信部２３０から受け取り、通信中パケットの宛先（例えば端末３００−１）を抽出する。また、ＡＰ２００−２が自局の配下端末３００−２へパケットを送信するときは、動的キャリアセンス動作部２４０は、バッファに記憶された当該パケットから宛先（例えば端末３００−２）を読み出す。動的キャリアセンス動作部２４０は、バッファに記憶されたパケットから読み出した宛先（例えば端末３００−２）に対応する「配下端末」と、通信中パケットから特定した宛先（例えば端末３００−１）に対応する「隣接ＡＰ配下端末」を特定する。そして、動的キャリアセンス動作部２４０は、「配下端末」（例えばＳＴＡ２＝端末３００−２）と「隣接ＡＰ配下端末」（例えばＳＴＡ１＝端末３００−１）に対応するキャリアセンス閾値を、キャリアセンス閾値保存部２２０から読み出す。
【０１１３】
以降は、第１の実施の形態と同様に、動的キャリアセンス動作部２４０は読み出したキャリアセンス閾値を用いて送信可又は送信不可を決定し（Ｓ３６，Ｓ３７）、その結果を無線送信部２５０へ出力すればよい。
【０１１４】
本第２の実施の形態においては、集中制御局１００は、ＡＰ２００−１に対するキャリアセンス閾値として、ＡＰ２００−１の配下端末と隣接ＡＰ２００−２の配下端末の組ごとにキャリアセンス閾値を設定している。このように、配下端末と隣接ＡＰの配下端末ごとにキャリアセンス閾値が設定されるため、ＡＰ２００−１の配下端末３００−３に対して同時通信を行わせないようにする一方で、ＡＰ２００−１の配下端末３００−１に対して同時通信を行わせることも可能である。例えば、図６の例では、ＡＰ２００−１と端末３００−３の通信と、ＡＰ２００−２と端末３００−２の通信は同時に行わせないにようにする一方で、ＡＰ２００−１と端末３００−１の通信と、ＡＰ２００−２と端末３００−２の通信は同時に行わせることが可能となる。従って、本無線通信システム１０では、同時通信が行われない場合と比較して、同時通信が可能になる場合があることから、ＡＰ２００−１の送信機会が増加し、システム全体のスループットを向上させることが可能となる。
【０１１５】
［第３の実施の形態］
次に第３の実施の形態について説明する。第１及び第２の実施の形態では、集中制御局１００ではＳＩＮＲと所要値を比較して、同時通信の性能を評価するようにした（例えば図７のＳ１４）。本第３の実施の形態では、ＳＩＮＲをベースにした通信容量に基づいて同時通信の性能を評価するようにしてもよい。
【０１１６】
図１３は、ＡＰ２００−２において隣接ＡＰ２００−１に対する同時通信性能を評価する場合の無線通信システム１０の構成例を表している。この場合を例にして以下説明する。
【０１１７】
例えば、キャリアセンス閾値算出部１３０は、図７のＳ１４に代えて以下を満たすときに、配下端末３００−２に対する同時通信性能を評価する（Ｓ１５〜Ｓ１９）。
【０１１８】
【数１】
2018022976.tif 000003
【０１１９】
式（１）において、Ｃ（）はＳＩＮＲをベースとして通信容量を表している。式（１）全体は、ＡＰ２００−１とＡＰ２００−２が同時通信を行ったときの通信容量（式（１）の右側）が、ＡＰ２００−１が単独で通信を行ったときの通信容量（式（１）の左側）よりも高いとき、同時通信可能であることを表している。図７においては、式（１）を満たすとき、キャリアセンス閾値算出部１３０は、Ｓ１５へ移行し、式（１）を満たさないときＳ２２へ移行して処理を進めていけばよい。なお、図７のＳ１６においても、キャリアセンス閾値算出部１３０は式（１）を用いて判別を行っても良い。この場合、式（１）のＳ１はＩ１、Ｓ２はＩ２、Ｉ１はＳ１、Ｉ２はＳ２となる。
【０１２０】
［第４の実施の形態］
図１４は第４の実施の形態における無線通信システム１０の構成例を表す図である。無線通信システム１０は、制御装置１００、第１及び第２の基地局装置２００−１，２００−２、及び第１の端末装置３００−１を備える。
【０１２１】
第１及び第２の基地局装置２００−１，２００−２は互いに隣接している。また、第１の基地局装置２００−１には配下端末として第１の端末装置３００−１がある。
【０１２２】
なお、制御装置１００は、例えば、第１の実施の形態における制御装置１００に対応する。また、例えば、第１の基地局装置２００−１は第１の実施の形態におけるＡＰ２００−１、第２の基地局装置２００−２は第１の実施の形態におけるＡＰ２００−２にそれぞれ対応する。さらに、第１の端末装置３００−１は、例えば、第１の実施の形態における端末３００−１に対応する。
【０１２３】
制御装置１００は、受信部１１０とキャリアセンス閾値算出部１３０、及び送信部１４０を備える。
【０１２４】
受信部１１０は、第１の端末装置３００−１において、第１の基地局装置２００−１から受信した第１の信号に対する第１の受信電力値と、第１の基地局装置２００−１に隣接する第２の基地局装置２００−２から受信した第２の信号に対する第２の受信電力値を受信する。受信部１１０は、第１及び第２の受信電力値を、第１の基地局装置２００−１又は第２の基地局装置２００−２を介して、第１の端末装置３００−１から受信する。
【０１２５】
キャリアセンス閾値算出部１３０は、受信した第１及び第２の受信電力値に基づいて、第１の基地局装置配下の第１の端末装置３００−１と第２の基地局装置の組ごとにキャリアセンス閾値を算出する。
【０１２６】
図１４の例では、第１の基地局装置２００−１配下に１つの端末装置がある例を表している。例えば、第１及び第２の端末装置など複数の端末装置があれば、キャリアセンス閾値算出部１３０は、さらに第２の端末装置と第２の基地局装置２００−２の組に対してもキャリアセンス閾値を算出する。また、第１の基地局装置２００−１に隣接する基地局装置も、第２及び第３の基地局装置など複数の基地局装置があれば、キャリアセンス閾値算出部１３０は、さらに、第１の端末装置３００−１と第３の基地局装置の組に対するキャリアセンス閾値を算出する。
【０１２７】
送信部１４０は、キャリアセンス閾値を第１の基地局装置２００−１へ送信する。
【０１２８】
このように本第４の実施の形態においては、第１の基地局装置２００−１に対して、配下端末３００−１と、第１の基地局装置２００−１に隣接する第２の基地局装置２００−２との組ごとにキャリアセンス閾値が設定される。従って、第１の基地局装置２００−１は、設定されたキャリアセンス閾値によっては、第１の端末装置３００−１に対して、第２の基地局装置２００−２と同時通信で無線信号を送信することも可能な場合もある。或いは、第１の基地局装置２００−１は、キャリアセンス閾値によっては、第１の基地局装置２００−１配下の他の端末装置に対して、第２の基地局装置２００−２と同時通信で無線信号を送信することができない場合もある。同時通信不可の場合に、第１の基地局装置２００−１が配下の全端末に対して無線信号を送信することができない場合と比較して、第１の端末装置３００−１のように無線信号を送信することができる場合があるため、第１の基地局装置２００−１の送信機会が増加する。これにより、無線通信システム１０全体のスループットが増加することが可能となる。
【０１２９】
［その他の実施の形態］
第１から第４の実施の形態では、集中制御局１００はＡＰ２００へキャリアセンス閾値を送信するものとして説明した。例えば、ＡＰ２００は、集中制御局１００から受信したキャリアセンス閾値を配下端末３００へ送信し、配下端末３００ではキャリアセンス閾値を用いてＡＰ２００と通信を行ってもよい。この場合、例えば、配下端末３００はＡＰ２００から受け取ったキャリアセンス閾値を用いてＤＬ方向の無線通信を行ってもよいし、ＵＬ方向の無線通信を行ってもよい。後者の場合は、ＡＰ２００も集中制御局から受け取ったキャリアセンス閾値を用いて端末３００とＵＬ方向で無線通信を行ってもよい。
【０１３０】
また、第１から第４の実施の形態においては、集中制御局１００がキャリアセンス閾値を算出してＡＰ２００へ送信する例について説明した。例えば、ＡＰ２００−１においてキャリアセンス閾値を算出して、他のＡＰ２００−２，２００−３へ送信するようにしてもよい。この場合、ＡＰ２００−１において、受信部１１０、隣接ＡＰ識別情報生成部１２０、キャリアセンス閾値算出部１３０、及び送信部１４０を備えてもよい。キャリアセンス閾値算出部１３０では、受信部１１０を介して、配下端末３００−１，３００−３の受信電力値を受け取り、当該受信電力値に基づいて、各配下端末３００−１，３００−３と隣接ＡＰ２００−２の組ごとにキャリアセンス閾値を算出し、隣接ＡＰ２００−２へ送信する。
【０１３１】
図１４（Ａ）から図１５は無線通信システム１０の各装置１００，２００，３００のハードウェアブロックの構成例を表している。このような構成例であっても、第１及び第２の実施の形態で説明した動作を実行することが可能である。
【０１３２】
図１４（Ａ）は集中制御局１００のハードウェア構成例を表す図である。集中制御局１００は、メモリ１８０と、ＣＰＵ（Central Processing Unit）１８１、有線ＩＦ（Interface）１８２を備える。
【０１３３】
ＣＰＵ１８１は、メモリ１８０に記憶されたプログラムを読み出して、当該プログラムを実行することで、第１及び第２の実施の形態で説明した、隣接ＡＰ識別情報生成部１２０とキャリアセンス閾値算出部１３０の機能を実現することが可能である。ＣＰＵ１８１は、例えば、隣接ＡＰ識別情報生成部１２０とキャリアセンス閾値算出部１３０に対応する。
【０１３４】
また、有線ＩＦ１８２は、ＡＰ２００と接続され、ＡＰ２００との間で受信電力値やキャリアセンス閾値を交換する。有線ＩＦ１８２は、例えば、第１及び第２の実施の形態における受信部１１０と送信部１４０に対応する。
【０１３５】
図１４（Ｂ）はＡＰ２００のハードウェア構成例を表す図である。ＡＰ２００は、メモリ２８０、ＣＰＵ２８１、無線部２８２、アンテナ２８３、有線ＩＦ２８４を備える。
【０１３６】
ＣＰＵ２８１は、メモリ２８０に記憶されたプログラムを読み出して、当該プログラムを実行することで、第１及び第２の実施の形態における動的キャリアセンス動作部２４０の機能を実現する。ＣＰＵ２８１は、例えば、動的キャリアセンス動作部２４０に対応する。
【０１３７】
また、メモリ２８０は、例えば、第１の実施の形態におけるキャリアセンス閾値保存部２２０に対応する。さらに、無線部２８２とアンテナ２８３は、無線信号に対する処理を行う部分であって、第１及び第２の実施の形態における無線受信部２３０と無線送信部２５０に対応する。さらに、有線ＩＦ２８４は、集中制御局１００との間で受信電力値やキャリアセンス閾値などを交換し、第１及び第２の実施の形態における制御局側受信部２１０と制御局側送信部２６０に対応する。
【０１３８】
図１５は端末３００のハードウェア構成例を表す図である。端末３００は、メモリ３８０、ＣＰＵ３８１、無線部３８２、及びアンテナ３８３を備える。
【０１３９】
ＣＰＵ３８１は、メモリ３８０に記憶されたプログラムを読み出して、当該プログラムを実行することで、第１及び第２の実施の形態における情報取得部３２０の機能を実行する。ＣＰＵ３８１は、例えば、情報取得部３２０に対応する。また、無線部３８２とアンテナ３８３は、例えば、第１及び第２の実施の形態における無線受信部３１０と無線送信部３３０に対応する。
【０１４０】
なお、上述した例において、各ＣＰＵ１８１，２８１，３８１は、例えば、ＭＰＵ（Micro Processing Unit）、ＦＰＧＡ（Field-Programmable Gate Array）、又はＤＳＰ（Digital Signal Processor）などの制御部、コントローラ、又はプロセッサであってもよい。また、無線部２８２，３８２は、例えば、ＤＳＰやＦＰＧＡなどの制御部、コントローラ、又はプロセッサであってもよい。
【０１４１】
以上まとめると付記のようになる。
【０１４２】
（付記１）
第１の端末装置において第１の基地局装置から受信した第１の信号に対する第１の受信電力値と該第１の基地局装置と隣接する第２の基地局装置から受信した第２の信号に対する第２の受信電力値を、前記第１の端末装置から前記第１又は第２の基地局装置を介して受信する受信部と、
前記受信した第１及び第２の受信電力値に基づいて、前記第１の基地局装置配下の前記第１の端末装置と前記第２の基地局装置の組ごとにキャリアセンス閾値を算出するキャリアセンス閾値算出部と、
前記算出されたキャリアセンス閾値を前記第１の基地局装置へ送信する送信部と
を備えることを特徴とする制御装置。
【０１４３】
（付記２）
前記キャリアセンス閾値算出部は、前記第２の基地局装置配下の第２の端末装置に対して前記第１の基地局装置と前記第２の基地局装置が同時に通信可能なとき、前記キャリアセンス閾値を算出することを特徴とする付記１記載の制御装置。
【０１４４】
（付記３）
前記キャリアセンス閾値算出部は、前記第１の端末装置に対して前記第１の基地局装置と前記第２の基地局装置が同時に通信可能なとき、前記第１の端末装置と前記第２の基地局装置の組に対する前記キャリアセンス閾値を、前記第１の基地局装置が前記第２の基地局装置から受信した第３の信号に対する第３の受信電力値よりも高い値となるように当該キャリアセンス閾値を算出することを特徴とする付記２記載の制御装置。
【０１４５】
（付記４）
前記キャリアセンス閾値算出部は、前記第１の端末装置に対して前記第１の基地局装置と前記第２の基地局装置が同時に通信可能ではないとき、前記第１の端末装置と前記第２の基地局装置の組に対する前記キャリアセンス閾値を、前記第１の基地局装置が前記第２の基地局装置から受信した第３の信号に対する第３の受信電力値よりも低い値となるように当該キャリアセンス閾値を算出することを特徴とする付記２記載の制御装置。
【０１４６】
（付記５）
前記キャリアセンス閾値算出部は、前記第２の端末装置に対して前記第１の基地局装置と前記第２の基地局装置が同時に通信可能ではないとき、前記第１の基地局装置配下の全前記第１の端末装置の前記第２の基地局装置に対する前記キャリアセンス閾値を、前記第１の基地局装置が前記第２の基地局装置から受信した第３の信号に対する第３の受信電力値よりも低い値となるように当該キャリアセンス閾値を算出することを特徴とする付記２記載の制御装置。
【０１４７】
（付記６）
前記キャリアセンス閾値算出部は、前記第１の基地局装置に隣接する第３の基地局装置の前記第１の基地局装置から受信した第４の信号に対する第４の受信電力値が、前記第３の受信電力値よりも高いとき、前記第２の基地局装置配下の全前記第２の端末装置と前記第３の基地局装置の組に対する前記キャリアセンス閾値を、前記第３の受信電力値よりも低い値となるように当該キャリアセンス閾値を算出することを特徴とする付記５記載の制御装置。
【０１４８】
（付記７）
前記キャリアセンス閾値算出部は、前記第２の基地局装置配下の第２の端末装置において、前記第２の基地局装置から受信した第５の信号に対する第５の受信電力値の前記第１の基地局装置から受信した前記第１の信号に対する第６の受信電力値の比率が所要値以上のとき、前記キャリアセンス閾値を算出することを特徴とする付記２記載の制御装置。
【０１４９】
（付記８）
前記キャリアセンス閾値算出部は、前記比率が前記所要値より低いとき、前記キャリアセンス閾値を、前記第１の基地局装置が前記第２の基地局装置から受信した第３の信号に対する第３の受信電力値よりも低い値となるように当該キャリアセンス閾値を算出することを特徴とする付記７記載の制御装置。
【０１５０】
（付記９）
前記キャリアセンス閾値算出部は、前記第１の端末装置において前記第１の受信電力値の前記第２の受信電力値の比率が所要値よりも高いとき、前記キャリアセンス閾値を、前記第３受信電力値よりも高い値となるように当該キャリアセンス閾値を算出することを特徴とする付記３記載の制御装置。
【０１５１】
（付記１０）
前記キャリアセンス閾値算出部は、前記第１の端末装置において、前記比率が前記所要値以下のとき、前記キャリアセンス閾値を、前記第３の受信電力値よりも低い値となるように当該キャリアセンス閾値を算出することを特徴とする付記９記載の制御装置。
【０１５２】
（付記１１）
前記キャリアセンス閾値算出部は、前記受信した第１及び第２の受信電力値に基づいて、前記第１の基地局装置配下の前記第１の端末装置と前記第２の基地局装置配下の第２の端末装置の組ごとにキャリアセンス閾値を算出することを特徴とする付記１記載の制御装置。
【０１５３】
（付記１２）
前記キャリアセンス閾値算出部は、前記第２の端末装置に対して前記第１の基地局装置と前記第２の基地局装置が同時に通信可能で、かつ、前記第１の端末装置に対して前記第１の基地局装置と前記第２の基地局装置が同時に通信可能なとき、前記第１の端末装置と前記第２の端末装置の組に対する前記キャリアセンス閾値を、前記第１の基地局装置が前記第２の基地局装置から受信した第３の信号に対する第３の受信電力値よりも高い値となるように当該キャリアセンス閾値を算出することを特徴とする付記１１記載の制御装置。
【０１５４】
（付記１３）
前記キャリアセンス閾値算出部は、前記第２の端末装置に対して前記第１の基地局装置と前記第２の基地局装置が同時に通信可能で、かつ、前記第１の端末装置に対して前記第１の基地局装置と前記第２の基地局装置が同時に通信可能ではないとき、前記第１の端末装置と前記第２の端末装置の組に対する前記キャリアセンス閾値を、前記第３の受信電力値よりも低い値となるように当該キャリアセンス閾値を算出することを特徴とする付記１２記載の制御装置。
【０１５５】
（付記１４）
前記キャリアセンス閾値算出部は、前記第２の端末装置に対して前記第１の基地局装置と前記第２の基地局装置が同時に通信可能ではないとき、前記第１の基地局装置配下の全前記第１の端末装置と前記第２の端末装置の組に対する前記キャリアセンス閾値を、前記第３の受信電力値よりも低い値となるように当該キャリアセンス閾値を算出することを特徴とする付記１２記載の制御装置。
【０１５６】
（付記１５）
前記キャリアセンス閾値算出部は、前記第１の端末装置が複数あるときは各前記第１の端末装置と前記第２の基地局装置の組ごとに前記キャリアセンス閾値を算出し、前記第２の基地局装置が複数あるときは前記第１の端末装置と各前記第１の基地局装置の組ごとに前記キャリアセンス閾値を算出し、前記第１の端末装置と前記第２の基地局装置が複数あるときは各前記第１の端末装置と各前記第２の基地局装置の組ごとに前記キャリアセンス閾値を算出することを特徴とする付記１記載の制御装置。
【０１５７】
（付記１６）
第１及び第２の基地局装置と、
前記第１の基地局装置配下の第１の端末装置と、
制御装置を備えた無線通信システムにおいて、
前記制御装置は、
前記第１の端末装置において、前記第１の基地局装置から受信した第１の信号に対する第１の受信電力値と前記第１の基地局装置と隣接する前記第２の基地局装置から受信した第２の信号に対する第２の受信電力値を、前記第１の端末装置から前記第１又は第２の基地局装置を介して受信する受信部と、
前記受信した第１及び第２の受信電力値に基づいて、前記第１の基地局装置配下の前記第１の端末装置と前記第２の基地局装置の組ごとにキャリアセンス閾値を算出するキャリアセンス閾値算出部と、
前記算出されたキャリアセンス閾値を前記第１の基地局装置へ送信する送信部と
を備えることを特徴とする無線通信システム。
【０１５８】
（付記１７）
受信部とキャリアセンス閾値算出部、及び送信部を備えた制御装置におけるキャリアセンス閾値設定方法であって、
前記受信部により、第１の端末装置において第１の基地局装置から受信した第１の信号に対する第１の受信電力値と該第１の基地局装置と隣接する第２の基地局装置から受信した第２の信号に対する第２の受信電力値を、前記第１の端末装置から前記第１又は第２の基地局装置を介して受信し、
前記キャリアセンス閾値算出部により、前記受信した第１及び第２の受信電力値に基づいて、前記第１の基地局装置配下の前記第１の端末装置と前記第２の基地局装置の組ごとにキャリアセンス閾値を算出し、
前記送信部により、前記算出されたキャリアセンス閾値を前記第１の基地局装置へ送信する
ことを特徴とするキャリアセンス閾値設定方法。
【０１５９】
（付記１８）
第１の端末装置において第１の基地局装置から受信した第１の信号に対する第１の受信電力値と該第１の基地局装置と隣接する第２の基地局装置から受信した第２の信号に対する第２の受信電力値を、前記第１の端末装置から前記第１又は第２の基地局装置を介して受信する有線インタフェースと、
前記受信した第１及び第２の受信電力値に基づいて、前記第１の基地局装置配下の前記第１の端末装置と前記第２の基地局装置の組ごとにキャリアセンス閾値を算出するプロセッサと
を備え、前記プロセッサは、前記有線インタフェースを介して、前記算出したキャリアセンス閾値を前記第１の基地局装置へ送信することを特徴とする制御装置。
【符号の説明】
【０１６０】
１０：無線通信システム                １００：集中制御局装置
１１０：受信部                        １２０：隣接ＡＰ識別情報生成部
１３０：キャリアセンス閾値算出部      １４０：送信部
２００：アクセスポイント（ＡＰ）      ２１０：制御局側受信部
２２０：キャリアセンス閾値保存部      ２３０：無線受信部
２４０：動的キャリアセンス動作部      ２５０：無線送信部
３００：端末装置                      ３２０：情報取得部
１８１，２８１，３８１：ＣＰＵ
【図１】
2018022976.tif 000004
【図２】
2018022976.tif 000005
【図３】
2018022976.tif 000006
【図４】
2018022976.tif 000007
【図５】
2018022976.tif 000008
【図６】
2018022976.tif 000009
【図７】
2018022976.tif 000010
【図８】
2018022976.tif 000011
【図９】
2018022976.tif 000012
【図１０】
2018022976.tif 000013
【図１１】
2018022976.tif 000014
【図１２】
2018022976.tif 000015
【図１３】
2018022976.tif 000016
【図１４】
2018022976.tif 000017
【図１５】
2018022976.tif 000018
【図１６】
2018022976.tif 000019